(57)【要約】【課題】  カラー出力指定時とモノクロ出力指定時で出力ガンマを異なるものを用いることによって、カラー出力指定時とモノクロ出力指定時に同じ描画オブジェクトが異なる濃度で出力される問題がある。【解決手段】  出力色空間に変換する色空間変換手段と、出力ガンマによって出力濃度の調整が可能な出力濃度調整手段と、中間色を表現するためのディザ処理を行うディザ処理手段とを備え、上記出力濃度調整手段に任意の出力ガンマが指定可能であることを特徴とする。【選択図】  図４
2006050071.tif 000002
【特許請求の範囲】
【請求項１】
出力色空間に変換する色空間変換手段と、出力ガンマによって出力濃度の調整が可能な出力濃度調整手段と、中間色を表現するためのディザ処理を行うディザ処理手段とを備え、上記出力濃度調整手段に任意の出力ガンマが指定可能であることを特徴とする画像形成装置。
【請求項２】
出力ガンマがカラー出力指定時とモノクロ出力指定時で異なることを特徴とする請求項１の印刷装置。
【請求項３】
モノクロ出力指定時に指定する出力ガンマを、モノクロ出力用の出力ガンマとカラー出力用の出力ガンマと切り替えて指定できることを特徴とする請求項２の印刷装置。
【請求項４】
モノクロ出力指定時に指定する出力ガンマを、UIを通してユーザが指定可能であることを特徴とする請求項３の印刷装置。
【発明の詳細な説明】
【技術分野】
【０００１】
本発明は、モノクロ出力とカラー出力で出力ガンマを切り替えることによって、モノクロ、カラーそれぞれに適した濃度で画像形成を行い、また、モノクロ出力時はカラー用の出力ガンマを使用可能とすることでモノクロ出力のカラー出力との濃度差をなくす手段を持つ画像形成装置に関する。
【背景技術】
【０００２】
画像形成装置においては中間調を表現するためのディザ処理を行う前に出力ガンマをかけることによって濃度調整を行っている。（特許文献１）この濃度調整に関して、ある画像形成装置ではモノクロ出力指定の場合は黄色等薄い色に対して出力ガンマを調整することによって、例えば黄色の文字等をユーザがはっきりと読み取れるレベルまで濃度をあげてから出力している。カラー出力指定の場合は特にこのような濃度調整を行わないため、カラー出力指定時とモノクロ出力指定時では使用する出力ガンマが異なっており、カラー出力指定時のK単色の描画オブジェクトとモノクロ出力指定時の同じ描画オブジェクトでは濃度が異なって出力されてしまっていた。また、カラー出力指定時とモノクロ出力指定時で同じ出力ガンマを用いることでカラー、モノクロに関わらず同じ濃度で出力結果を得ることが出来る画像形成装置もあるが、モノクロ出力指定時に、例えば黄色い文字等が非常に薄く印字され読み取りにくいものとなってしまっていた。
【特許文献１】特開平０８−３３１３９８号公報
【発明の開示】
【発明が解決しようとする課題】
【０００３】
上記のように、カラー出力指定時とモノクロ出力指定時で出力ガンマを異なるものを用いることによってモノクロ出力指定時の出力結果を良好にすることを可能にしているが、カラー出力指定時とモノクロ出力指定時に同じ描画オブジェクトが異なる濃度で出力される問題と、カラー出力指定時とモノクロ出力指定時で同じ出力ガンマを用いることによって出力指定によらず描画オブジェクトが同じ濃度で出力されるが、モノクロ出力指定時に見えにくい描画オブジェクトが存在する問題を解決する方法について以下に述べる。
【課題を解決するための手段】
【０００４】
請求項1に記載の発明は、出力濃度調整手段に対し任意の出力ガンマを指定可能とすることを特徴とする。これにより、出力方法に合わせて調整した出力ガンマを用いることが可能となり、様々な出力において良好な濃度での出力結果を得ることが可能となる。
【０００５】
請求項2に記載の発明は、出力ガンマがカラー出力指定時とモノクロ出力指定時で異なることを特徴とする。これによりカラー出力指定時にはカラー出力に適した出力ガンマを用いることが可能となり、また、モノクロ出力指定時にはモノクロ出力に適した出力ガンマを用いることが可能となり、それぞれに適した濃度での画像形成が可能となる。
【０００６】
請求項3に記載の発明は、モノクロ出力指定時に指定する出力ガンマを、モノクロ出力用の出力ガンマとカラー出力用の出力ガンマと切り替えて指定できることを特徴とする。モノクロ出力指定時に出力ガンマをカラー出力用とすることによって、カラー出力してもモノクロ出力しても同じ描画オブジェクトの濃度を同じにすることが可能となる。また、モノクロ出力指定時に出力ガンマをモノクロ出力用とすることによって、モノクロ出力に適した濃度での出力が可能となる。これらを切り替え可能とすることで、目的にあった出力結果を得ることが可能となる。
【０００７】
請求項4に記載の発明は、モノクロ出力指定時に指定する出力ガンマをUIを通してユーザが指定可能であることを特徴とする。これにより、ユーザが求める濃度選択をユーザ自身が決定できるようになる。
【発明を実施するための最良の形態】
【０００８】
（実施例１）
以下、図面を参照して本発明の実施例を詳細に説明する。
【０００９】
図１は実施例１の画像形成装置のデータ処理フローを示す図である。
【００１０】
図において、１０１は、描画コマンドの解析を行う描画コマンド解析部１０２と、描画コマンドからラスタイメージを生成するレンダラ１０３と、色空間変換を行う色空間変換部１０４と、出力画像の濃度調整を行う出力ガンマ部１０５と、中間調処理を行うディザリング部１０６からなる画像形成装置である。また、出力ガンマ部１０５は、出力ガンマＡと出力ガンマＢを指定して処理することが可能となっている。
【００１１】
本実施例において、描画コマンドから出力データを生成するまでの手順を図２のフローチャートを用いて説明する。Ｓ２０１からＳ２０５は各ステップを示す。
【００１２】
ステップＳ２０１において、描画コマンドを解析し、ステップＳ２０２へ進む。
【００１３】
ステップＳ２０２において、レンダリングを行い、ステップＳ２０３へ進む。
【００１４】
ステップＳ２０３において、描画コマンドによって指定された出力ガンマをメモリに格納し、ステップＳ２０４へ進む。
【００１５】
ステップＳ２０４において、メモリから出力ガンマを読み出し濃度調整を行い、ステップＳ２０５へ進む。
【００１６】
ステップＳ２０５において、中間調処理を行い終了する。
【００１７】
（実施例２）
図３は実施例２の画像形成装置のデータ処理フローを示す図である。
【００１８】
図において、３０１は、描画コマンドの解析を行う描画コマンド解析部３０２と、描画コマンドからラスタイメージを生成するレンダラ３０３と、色空間変換を行う色空間変換部３０４と、出力画像の濃度調整を行う出力ガンマ部３０５と、中間調処理を行うディザリング部３０６からなる画像形成装置である。また、色空間変換部３０４は出力指定設定部３０７からの指定によって色空間変換の処理方法を切り替えることが可能であり、更に、出力ガンマ部３０５で用いる出力ガンマは、出力ガンマ選択部３０８において出力指定部３０７からの信号を用いてカラー出力用出力ガンマ或いはモノクロ出力用出力ガンマのどちらを用いるかを判定し指定される。
【００１９】
本実施例において、描画コマンドから出力データを生成するまでの手順を図４のフローチャートを用いて説明する。Ｓ４０１からＳ４０８は各ステップを示す。
【００２０】
ステップＳ４０１において、描画コマンドを解析し、ステップＳ４０２へ進む。
【００２１】
ステップＳ４０２において、レンダリングを行い、ステップＳ４０３へ進む。
【００２２】
ステップＳ４０３において、出力指定がカラー出力指定であるか否かを判定し、カラー出力指定である場合は、ステップＳ４０４へ進む。
【００２３】
ステップＳ４０４において、ＣＭＹＫ色空間変換を行い、ステップＳ４０５へ進む。
【００２４】
ステップＳ４０５において、カラー出力用出力ガンマを用いて濃度調整を行い、ステップＳ４０８へ進む。
【００２５】
一方、ステップＳ４０３において、モノクロ出力指定である場合は、ステップＳ４０６へ進む。
【００２６】
ステップＳ４０６において、Ｋ単色色空間変換を行い、ステップＳ４０７へ進む。
【００２７】
ステップＳ４０７において、モノクロ出力用出力ガンマを用いて濃度調整を行い、ステップＳ４０８へ進む。
【００２８】
ステップＳ４０８において、中間調処理を施し終了する。
【００２９】
（実施例３）
図５は実施例３の画像形成装置のデータ処理フローを示す図である。
【００３０】
図において、５０１は、描画コマンドの解析を行う描画コマンド解析部５０２と、描画コマンドからラスタイメージを生成するレンダラ５０３と、色空間変換を行う色空間変換部５０４と、出力画像の濃度調整を行う出力ガンマ部５０５と、中間調処理を行うディザリング部５０６からなる画像形成装置である。また、色空間変換部５０４は出力指定設定部５０７からの指定によって色空間変換の処理方法を切り替えることが可能であり、更に、出力ガンマ部５０５で用いる出力ガンマは、出力ガンマ選択部５０８において出力指定部５０７からの信号と描画コマンド解析部５０２からの信号を用いてカラー出力用出力ガンマ或いはモノクロ出力用出力ガンマのどちらを用いるかを判定し指定される。
【００３１】
本実施例において、描画コマンドから出力データを生成するまでの手順を図６のフローチャートを用いて説明する。Ｓ６０１からＳ６１０は各ステップを示す。
【００３２】
ステップＳ６０１において、描画コマンドを解析し、ステップＳ６０２へ進む。
【００３３】
ステップＳ６０２において、レンダリングを行い、ステップＳ６０３へ進む。
【００３４】
ステップＳ６０３において、出力指定がカラー出力指定であるか否かを判定し、カラー出力指定である場合は、ステップＳ６０４へ進む。
【００３５】
ステップＳ６０４において、ＣＭＹＫ色空間変換を行い、ステップＳ６０５へ進む。
【００３６】
ステップＳ６０５において、カラー出力用出力ガンマを用いて濃度調整を行い、ステップＳ６１０へ進む。
【００３７】
一方、ステップＳ６０３において、モノクロ出力指定である場合は、ステップＳ６０６へ進む。
【００３８】
ステップＳ６０６において、Ｋ単色色空間変換を行い、ステップＳ６０７へ進む。
【００３９】
ステップＳ６０７において、カラー出力用出力ガンマが指定されているか否かを判定し、カラー出力用出力ガンマが指定されている場合は、ステップＳ６０８へ進む。
【００４０】
ステップＳ６０８において、カラー出力用出力ガンマを用いて濃度調整を行い、ステップＳ６１０へ進む。
【００４１】
一方、ステップＳ６０７において、モノクロ出力用出力ガンマが指定されている場合は、ステップＳ６０９へ進む。
【００４２】
ステップＳ６０９において、モノクロ出力用出力ガンマを用いて濃度調整を行い、ステップＳ６１０へ進む。
【００４３】
ステップＳ６１０において、中間調処理を施し終了する。
【００４４】
（実施例４）
図７は実施例４の画像形成装置のデータ処理フローを示す図である。
【００４５】
図において、７０１は、描画コマンドの解析を行う描画コマンド解析部７０２と、描画コマンドからラスタイメージを生成するレンダラ７０３と、色空間変換を行う色空間変換部７０４と、出力画像の濃度調整を行う出力ガンマ部７０５と、中間調処理を行うディザリング部７０６と、ＵＩ７０９からなる画像形成装置である。７０９は、カラー出力或いはモノクロ出力を指定するＵＩと、カラー出力用出力ガンマ或いはモノクロ出力用出力ガンマを指定するＵＩからなるＵＩである。色空間変換部７０４は出力指定設定部７０７からの指定によって色空間変換の処理方法を切り替えることが可能であり、この出力指定はカラー出力或いはモノクロ出力を指定するＵＩ７１０からの信号によって設定される。また、出力ガンマ部７０５で用いる出力ガンマは、出力ガンマ選択部７０８において選択・指定され、この出力ガンマ設定は出力指定部７０７からの信号と、カラー出力用出力ガンマ或いはモノクロ出力用出力ガンマを指定するＵＩ７１１からの信号から選択される。
【００４６】
本実施例において、描画コマンドから出力データを生成するまでの手順を図８のフローチャートを用いて説明する。Ｓ８０１からＳ８１０は各ステップを示す。
【００４７】
ステップＳ８０１において、描画コマンドを解析し、ステップＳ８０２へ進む。
【００４８】
ステップＳ８０２において、レンダリングを行い、ステップＳ８０３へ進む。
【００４９】
ステップＳ８０３において、出力指定がカラー出力指定であるか否かを判定し、カラー出力指定である場合は、ステップＳ８０４へ進む。
【００５０】
ステップＳ８０４において、ＣＭＹＫ色空間変換を行い、ステップＳ８０５へ進む。
【００５１】
ステップＳ８０５において、カラー出力用出力ガンマを用いて濃度調整を行い、ステップＳ８１０へ進む。
【００５２】
一方、ステップＳ８０３において、モノクロ出力指定である場合は、ステップＳ８０６へ進む。
【００５３】
ステップＳ８０６において、Ｋ単色色空間変換を行い、ステップＳ８０７へ進む。
【００５４】
ステップＳ８０７において、カラー出力用出力ガンマが指定されているか否かを判定し、カラー出力用出力ガンマが指定されている場合は、ステップＳ８０８へ進む。
【００５５】
ステップＳ８０８において、カラー出力用出力ガンマを用いて濃度調整を行い、ステップＳ８１０へ進む。
【００５６】
一方、ステップＳ８０７において、モノクロ出力用出力ガンマが指定されている場合は、ステップＳ８０９へ進む。
【００５７】
ステップＳ８０９において、モノクロ出力用出力ガンマを用いて濃度調整を行い、ステップＳ８１０へ進む。
【００５８】
ステップＳ８１０において、中間調処理を施し終了する。
【図面の簡単な説明】
【００５９】
【図１】実施例１の画像形成装置のデータ処理フローを示す図である。
【図２】実施例１においてデータの処理手順を示すフローチャートである。
【図３】実施例２の画像形成装置のデータ処理フローを示す図である。
【図４】実施例２においてデータの処理手順を示すフローチャートである。
【図５】実施例３の画像形成装置のデータ処理フローを示す図である。
【図６】実施例３においてデータの処理手順を示すフローチャートである。
【図７】実施例４の画像形成装置のデータ処理フローを示す図である。
【図８】実施例４においてデータの処理手順を示すフローチャートである。
【図１】
2006050071.tif 000003
【図２】
2006050071.tif 000004
【図３】
2006050071.tif 000005
【図４】
2006050071.tif 000006
【図５】
2006050071.tif 000007
【図６】
2006050071.tif 000008
【図７】
2006050071.tif 000009
【図８】
2006050071.tif 000010